(57)【特許請求の範囲】
【請求項１】
蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機の制御方法であって、停止時に排ガス熱交換器内に溶液が残留しないように、低温再生器の溶液のオーバーフロー管より高い位置に排ガス熱交換器を設け、冷温水機の停止時に排ガス熱交換器内の溶液を全量吸収器に戻して、排ガス熱交換器における排ガス漏れ込み時の溶液の結晶化を回避することを特徴とする分散型発電システムの排ガスを利用する吸収冷温水機の制御方法。
【請求項２】
蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機の制御方法であって、希釈運転後の高温再生器と吸収器との圧力差に起因する冷媒蒸気逆流による高温熱交換器導入用の溶液ポンプの空転を防止し、溶液ポンプの焼き付きの発生を回避するため、高温再生器の冷媒蒸気の飽和温度が所定値以下に低下するまで希釈運転を継続するとともに、希釈運転の時間を短縮するために、希釈運転が終了するまで、冷温水ポンプ及び冷却水ポンプを運転することを特徴とする分散型発電システムの排ガスを利用する吸収冷温水機の制御方法。
【請求項３】
蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機において、停止時に排ガス熱交換器内に溶液が残留しないように、低温再生器の溶液のオーバーフロー管の上端より高い位置に排ガス熱交換器の底面が位置するように排ガス熱交換器を設け、冷温水機の停止時に排ガス熱交換器内の溶液を全量吸収器に戻すように、前記オーバーフロー管と吸収器とを溶液戻し配管にて接続して、排ガス熱交換器における排ガス漏れ込み時の溶液の結晶化を回避するようにしたことを特徴とする分散型発電システムの排ガスを利用する吸収冷温水機の制御装置。
【発明の詳細な説明】
【技術分野】
【０００１】
本発明は、分散型発電システムの排ガスを利用する吸収冷温水機の制御方法及び装置に関する。詳しくは、蒸発器、吸収器、凝縮器、低温再生器、高温再生器、溶液熱交換器、排温水熱交換器などを有する排温水投入型吸収冷温水機に、排ガス熱交換器及び排ガスダンパを設け、分散型発電システムから排出される排熱をより高度化利用する排ガス・排温水投入型吸収冷温水機において、希釈運転終了後の溶液ポンプ空転、及び排ガスダンパの動作不良・シール性悪化等に起因する排ガスの漏れ込みにより生じる希釈運転不可、溶液結晶化、排ガス熱交換器の異常過熱の不具合を解決し、故障の発生率を減少させるとともに、保守安全性を向上させるようにした方法及び装置に関する。
【背景技術】
【０００２】
分散型発電システム（装置）は、顧客の売電事業およびＥＳＣＯ事業、緊急停電時の予備電源として使用されるケースが多く、万が一異常停止した場合、被る損失は甚大なことが多いため、可能な限りこれを回避することが望まれる。そのためには、排ガスの漏れ込みがある場合においても、吸収冷温水機として安定した品質を維持しなければならず、その対策を講じる必要がある。
従来では、排ガス漏れ込み時の抜本的な対策はなされておらず、最終的には吸収冷温水機の損傷あるいは分散型発電装置の停止を余儀なくされるケースが想定される。
【０００３】
従来、吸収冷温水機として、図３に例示したようなものが知られている。この吸収冷温水機は、吸収液（例えば、臭化リチウム水溶液）が吸収器１０から低温再生器１４を経て高温再生器１８に流されるというリバースサイクルを構成している。この吸収冷温水機における吸収サイクルを説明すると、まず、吸収器１０で多量の冷媒蒸気を吸収して濃度が薄められた吸収液（希吸収液）が吸収器１０から低温熱交換器１２に送給され、この低温熱交換器１２により加熱された後に低温再生器１４に送給される。前記希吸収液は、この低温再生器１４において低温再生され、吸収している冷媒の一部を放出し濃度がその分高くなって中間濃度の吸収液（中間吸収液）となる。つぎに、この中間吸収液は、低温再生器１４から高温熱交換器１６に送給され、この高温熱交換器１６により加熱された後に高温再生器１８に送給される。
【０００４】
前記中間吸収液は、この高温再生器１８において高温再生され、吸収している冷媒（例えば、水蒸気）の一部を放出し濃度がさらに高くなって高濃度の吸収液（濃吸収液）となる。そして、この濃吸収液が前記高温熱交換器１６の加熱側に前記中間吸収液を加熱する加熱源として戻され、さらに、低温熱交換器１２の加熱側に前記希吸収液を加熱する加熱源として戻された後、前記吸収器１０に帰還する。この帰還した濃吸収液は吸収器１０において伝熱管上に散布され、冷却水により冷却されながら再び冷媒蒸気を吸収して前記希吸収液となる。３２は吸収液ポンプ、３４は吸収液ポンプ（溶液ポンプ）、３６は冷媒ポンプ、３８は冷却水ポンプ、４０は冷温水ポンプ、４２は冷暖切替弁である。
【０００５】
このような吸収冷温水機においては、前記高温再生器１８に燃焼部２０が設けられており、中間吸収液が加熱されて吸収していた冷媒が放出され、この放出された冷媒蒸気は、低温再生器１４に送給され、この低温再生器１４での加熱源として利用された後、凝縮器２２に戻されて凝縮する。例えば冷水運転の場合には、凝縮器２２からの冷媒液（例えば、水）は蒸発器２４に入り、この凝縮した冷媒液が冷媒ポンプ３６により蒸発器２４の伝熱管（水が流通している）に散布され蒸発潜熱により冷却されて冷水が得られる。なお、高温再生器に燃焼部を設ける代りに、ボイラーから発生した水蒸気（スチーム）又は温水を高温再生器に導入するように構成されることもある。低温再生器１４からの吸収液配管２６と、高温熱交換器１６と低温熱交換器１２との間の加熱側の吸収液配管２８とを接続するバイパス管３０が設けられ、低温再生器１４を出て高温再生器１８へ供給される中間濃縮吸収液の一部を、吸収器１０へ戻る濃吸収液配管にバイパスさせるように構成されている。このように、従来の吸収冷温水機の一例として、図３に示すものが知られている（例えば、特許文献１参照）。
【先行技術文献】
【特許文献】
【０００６】
【特許文献１】特開２００２−３９６４３号公報（第４頁、図２）
【発明の概要】
【発明が解決しようとする課題】
【０００７】
解決しようとする問題点は、排ガス、排温水投入型吸収冷温水機において、希釈運転終了後の溶液ポンプ空転、及び排ガスダンパの動作不良・シール性悪化等に起因する排ガスの漏れ込みにより生じる希釈運転不可、溶液結晶化、排ガス熱交換器の異常加熱の不具合が発生する点にある。                                                            
【課題を解決するための手段】
【０００８】
本発明は、排ガスの漏れ込み時の故障リスクを回避するために、排ガス熱交換器を低温再生器のオーバーフロー管より高い位置に設置して、停止時に溶液が全量吸収器に戻る液循環サイクルの構造とすることにより、排ガス漏れ込み時の溶液の結晶化を回避するようにしたことを最も主要な特徴とする。
本発明は、排ガス熱交換器を溶液配管により接続される一次側、二次側の装置の溶液液面に対し、上部に設置した吸収冷温水機、吸収液ポンプ停止中に、排ガス熱回収器に溜まった溶液が位置ヘッドにより、溶液配管を通じて接続される一次側、二次側の装置に全量流れ落ちるようにした吸収冷温水機、及びこれらにおいて、吸収液ポンプ停止中に、排ガス熱回収器に溜まった溶液が位置ヘッドにより、全量流れ落ちる構造である排ガス熱回収器を有する吸収冷温水機を提供せんとするものである。
【０００９】
本発明の制御方法は、蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機の制御方法であって、低温再生器の溶液のオーバーフロー管より高い位置に排ガス熱交換器を設け、冷温水機の停止時に排ガス熱交換器内の溶液を全量吸収器に戻して、排ガス熱交換器における排ガス漏れ込み時の溶液の結晶化を回避することを特徴としている。
【００１０】
また、本発明の制御方法は、蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機の制御方法であって、希釈運転後の高温再生器と吸収器との圧力差に起因する冷媒蒸気逆流による高温熱交換器導入用の溶液ポンプの空転を防止するため、高温再生器の冷媒蒸気の飽和温度が所定値以下に低下するまで希釈運転を継続するとともに、希釈運転の時間を短縮するために、希釈運転が終了するまで、冷温水ポンプ及び冷却水ポンプを運転することを特徴としている。
【００１１】
また、本発明の制御方法は、蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機の制御方法であって、希釈運転時に排ガスの漏れ込みがある場合に、排ガスダンパのリミットスイッチ及び排ガス温度センサーの少なくともいずれかにより、排ガスの漏れ込みがあることを感知し、蒸発器の冷媒タンクから冷媒ブロー配管に設けた自動弁を制御することで溶液に冷媒を混ぜ、溶液濃度を強制的に低下させて希釈制御することを特徴としている。
【００１２】
また、本発明の制御方法は、蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機の制御方法であって、排ガス熱交換器の異常過熱を防御するために、吸収冷温水機の停止中に排ガス温度センサーが排ガス熱交換器の設計温度以上を検知した場合、低温熱交換器導入用の吸収液ポンプ及び高温熱交換器導入用の溶液ポンプを起動させて排ガス熱交換器を液冷するとともに、冷温水ポンプ及び冷却水ポンプを起動し、冷却水に放熱することを特徴としている。
【００１３】
さらに、本発明の制御方法は、蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機の制御方法であって、商用電源が停電時に分散型発電システムから排ガスダンパに電源を供給し、排ガスダンパを閉に制御することを特徴としている。
【００１４】
本発明の制御装置は、蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機において、低温再生器の溶液のオーバーフロー管の上端より高い位置に排ガス熱交換器の底面が位置するように排ガス熱交換器を設け、冷温水機の停止時に排ガス熱交換器内の溶液を全量吸収器に戻すように、前記オーバーフロー管と吸収器とを溶液戻し配管にて接続して、排ガス熱交換器における排ガス漏れ込み時の溶液の結晶化を回避するようにしたことを特徴としている。
【００１５】
また、本発明の制御装置は、蒸発器、吸収器、凝縮器、低温再生器、高温再生器、溶液低温熱交換器、溶液高温熱交換器、排温水熱交換器を少なくとも有する排温水投入型吸収冷温水機に、排ガス熱交換器及び排ガスダンパを設け、分散型発電システムから排出される排熱をより高度化利用するために、分散型発電システムからの排ガスを排ガス熱交換器に導入するようにした排ガス・排温水投入型吸収冷温水機において、排ガスの漏れ込みを感知するためのリミットスイッチを排ガスダンパに設け、希釈運転時に排ガスの漏れ込みがある場合に、排ガスダンパのリミットスイッチ及び排ガス温度センサーの少なくともいずれかにより、排ガスの漏れ込みがあることを感知するようにし、蒸発器の冷媒タンクと吸収器とを冷媒ブロー自動弁を備えた冷媒ブロー配管で接続し、前記リミットスイッチにより排ガスの漏れ込みを感知すると、蒸発器の冷媒タンクから冷媒ブロー配管に設けた自動弁を制御することで溶液に冷媒を混ぜ、溶液濃度を強制的に低下させて希釈制御することを特徴としている。
【発明の効果】
【００１６】
本発明は次のような効果を奏する。
（１）排ガス熱交換器の設置位置を低温再生器のオーバーフロー管より高い位置とし、停止時に溶液が全量吸収器に戻る構造としたことにより、排ガス漏れ込み時の溶液の結晶化を回避することができる。
（２）希釈運転後の高温再生器と吸収器との圧力差に起因する冷媒蒸気逆流による溶液ポンプの空転を防止するため、高温再生器の圧力が所定圧力に低下するまで希釈運転を継続し、また、その時間を短縮するため希釈運転が終了するまで、冷水ポンプ及び冷却水ポンプを運転するので希釈運転終了後の溶液ポンプの空転を確実に制御することができる。
（３）希釈運転時に排ガスの漏れ込みがある場合に、排ガスダンパのリミットスイッチ及び排ガス温度センサーの少なくともいずれかにより、排ガスの漏れ込みがあることを感知し、冷媒タンクから冷媒ブロー配管に設けた自動弁を制御することで溶液に冷媒を混ぜ、溶液濃度を強制的に低下させることができる。
（４）吸収冷温水機停止中、排ガス温度センサーが設計温度以上を検知した場合、溶液ポンプを起動させ排ガス熱交換器を液冷し、また、同時に冷温水ポンプ及び冷却水ポンプを起動し、冷却水に放熱するので、排ガス熱交換器の異常過熱を有効に防御することができる。
（５）商用電源が停電時に分散型発電装置から排ガスダンパに電源を供給し、排ガスダンパを閉めることにより、安全となり、かつ故障リスクを回避することができる。
【図面の簡単な説明】
【００１７】
【図１】図１は、本発明の実施の第１形態による分散型発電システムの排ガスを利用する吸収冷温水機の制御装置のフローシートである。
【図２】図２は、図１に示す制御装置の要部の説明を理解し易くするための構成説明図である。
【図３】図３は、従来の吸収冷温水機の一例を示す系統的概略構成図である。
【発明を実施するための形態】
【００１８】
排ガス・排温水投入型吸収冷温水機における希釈運転終了後の溶液ポンプ空転、及び排ガスダンパの動作不良・シール性悪化等に起因する排ガスの漏れ込みにより生じる希釈運転不可、溶液結晶化、排ガス熱交換器の異常過熱の不具合を解決し、故障の発生率を減少させるとともに、保守安全性を向上させるという目的を、新しい液循環サイクル及びその制御により実現した。
【実施例１】
【００１９】
以下、本発明の実施の形態について説明するが、本発明は下記の実施の形態に何ら限定されるものではなく、適宜変更して実施できるものである。図１は、本発明の実施の第１形態による分散型発電システムの排ガスを利用する吸収冷温水機の制御装置のフローシート、図２は本発明の制御装置の要部の説明を理解し易くするための構成説明図である。
【００２０】
図１に示すように、本発明の装置における吸収冷温水機は、一例として、吸収液（例えば、臭化リチウム水溶液）が吸収器５０から低温再生器５４を経て高温再生器５８に流されるというリバースサイクルを構成している。この吸収冷温水機における吸収サイクルを説明すると、まず、吸収器５０で多量の冷媒蒸気を吸収して濃度が薄められた吸収液（希吸収液）が吸収器５０から低温熱交換器（溶液低温熱交換器）５２に送給され、この低温熱交換器５２により加熱された後、排温水熱交換器５３に送給され、さらに加熱されて低温再生器５４に送給される。前記希吸収液は、この低温再生器５４において低温再生され、吸収している冷媒の一部を放出し濃度がその分高くなって中間濃度の吸収液（中間吸収液）となる。つぎに、この中間吸収液は、低温再生器５４から高温熱交換器（溶液高温熱交換器）５６に送給され、この高温熱交換器５６により加熱された後、分散型発電システムから排出される排熱（排ガス）を熱源とする排ガス熱交換器５７に送給されさらに加熱されて高温再生器５８に送給される。この排ガス熱交換器５７からの冷媒蒸気は、冷媒蒸気配管５９を通って高温再生器５８に送られる。
【００２１】
前記中間吸収液は、この高温再生器５８において高温再生され、吸収している冷媒（例えば、水蒸気）の一部を放出し濃度がさらに高くなって高濃度の吸収液（濃吸収液）となる。そして、この濃吸収液が前記高温熱交換器５６の加熱側に前記中間吸収液を加熱する加熱源として戻され、さらに、低温熱交換器５２の加熱側に前記希吸収液を加熱する加熱源として戻された後、前記吸収器５０に帰還する。この帰還した濃吸収液は吸収器５０において伝熱管上に散布され、冷却水により冷却されながら再び冷媒蒸気を吸収して前記希吸収液となる。５１は凝縮器、５５は蒸発器、６２は吸収液ポンプ、６４は溶液ポンプ、６６は冷媒ポンプ、６８は冷却水ポンプ、７０は冷温水ポンプ、７２は冷暖切替弁、７６は暖房用排温水熱回収器である。
【００２２】
排温水熱交換器５３の伝熱管には分散型発電システム、その他系外からの排温水が導入され、低温熱交換器５２から送られ散布される吸収液を加熱する。７４、７５は冷暖切換弁、７８は排温水三方弁である。排温水の入口ライン及び出口ラインは分岐して、暖房用排温水熱回収器６に接続されている。
【００２３】
排ガス熱交換器５７には分散型発電システムからの排ガスが導入され、高温熱交換器５６から送られる吸収液を加熱し、加熱された吸収液は高温再生器５８に送られる。８０は排ガス入口側ダクトの排ガス三方ダンパ、８２は排ガス出口側ダクトの排ガス二方ダンパである。８３は排ガス温度センサーで、吸収液ポンプ６２及び溶液ポンプ６４に接続されている。なお、排ガスダンパ８０、８２には、図示していないが、リミットスイッチが接続されている。
【００２４】
蒸発器５５の下部には冷媒溜め８６が設けられており、この冷媒溜め８６に冷媒タンク８８が連設されている。この冷媒タンク８８と吸収器５０とが、冷媒ブロー自動弁９０（例えば、電磁弁）を備えた冷媒ブロー配管９２で接続されている。９４は低温再生器オーバーフロー管で、この管９４は略Ｕ字型を形成する溶液戻し配管９６を介して吸収管５０の上部に接続されている。そして、低温再生器オーバーフロー管９４の上端より、吸収管５０の上部の接続部の方が低くなっている。
【００２５】
さらに、低温再生器５４の溶液のオーバーフロー管９４の上端より高い位置に、排ガス熱交換器５７の底面が位置するように排ガス熱交換器５７が設けられている。冷温水機の停止時に排ガス熱交換器５７内の溶液を全量吸収器５０に戻すように、前記オーバーフロー管９４と吸収器５０とを溶液戻し配管９６にて接続され、排ガス熱交換器５７における排ガス漏れ込み時の溶液の結晶化を回避するように構成されている。
【００２６】
本発明における液循環サイクル及び制御について、以下、説明する。図１に示すように、排ガス・排温水投入型吸収冷温水機は、分散型発電システムの排ガスと中間液を排ガス熱交換器５７にて熱交換させ、排ガスの熱量を中間液の加熱に利用することで、排温水投入型吸収冷温水機に比べ、さらなる燃料の削減を実現している。また、排ガス熱交換器５７は、高温熱交換器５６と高温再生器５８間に直列に配置し、排ガス熱交換器５７で発生した冷媒蒸気は、冷媒蒸気配管５９を通じて高温再生器５８のエリミネータ直下に投入し、気液分離を行っている。なお、この配管５９は、排ガス熱交換器５７と高温再生器５８の均圧管の役割も担っている。
【００２７】
この配置において、排ガス熱交換器５７における排ガスの漏れ込みに対して考慮すべき点は下記に４点であり、対策方法を示す。
（１）停止中の排ガス漏れ込み
（２）希釈運転時の排ガス漏れ込み
（３）設計温度を超える排ガス漏れ込み
（４）商用電源が停電時に、分散型発電装置の運転が継続される場合の排ガスダンパの制御
【００２８】
（１）停止中の排ガス漏れ込み
従来では、排ガス熱交換器５７は本体の横に設置される場合があるが、この場合、停止中は排ガス熱交換器内に溶液が残留する。この状態で排ガスの漏れ込みが発生すると、残留した溶液は熱せられ結晶化し、再起動不能に陥る可能性がある。また、排気ファンを設置し、漏れ込んだ排ガスを掃気するシステムも存在するが、排ガスの漏れ込みが多い場合には十分な対策にはなり得ない。
そこで、本排ガス・排温水投入型吸収冷温水機では、図２の（ａ）部、（ｂ）部、（ｃ）部に示すように、停止時に排ガス熱交換器５７内に溶液が残留しないように、低温再生器５４のオーバーフロー管９４より高い位置に排ガス熱交換器５７を設置し、かつ、溶液の供給管は排ガス熱交換器の最下部に接続することで、停止中には、溶液が全量吸収器５０に戻る構造としている。そのため、停止中に排ガスの漏れ込みがあっても溶液の結晶化は起こらず、品質上問題がない。
【００２９】
しかしながら、この配置を採用することにより希釈運転終了後に、排ガス熱交換器５７内の溶液がすべて吸収器５０に戻った後、高温再生器５８内の圧力の高い冷媒蒸気が排ガス熱交換器５７の冷媒蒸気配管５９を通じて吸収器５０に逆流する。その際、その冷媒蒸気流により溶液ポンプ６４が空転を起こし、溶液ポンプ６４の焼き付きが発生する恐れがある（図２の（ｃ）部参照）。その対策として、高温再生器５８の圧力が所定値に低下するまで、希釈運転を継続する。また、高温再生器の圧力を効率的に低下させるため冷温水ポンプ７０、冷却水ポンプ６８を運転し、機内の熱を冷却水に放熱する。これにより通常希釈運転時間内で高温再生器５８の圧力は所定値に低下させることができる。
【００３０】
（２）希釈運転時の排ガス漏れ込み
希釈運転は運転停止前に濃度を低下させておく運転であるが、排ガスの漏れ込みにより入熱がある場合、冷媒が再生されるため濃度が低下しにくい。したがって、所定時間希釈運転が実施されても濃度が所定値以下に低下していない可能性があり、停止中に溶液が結晶化する恐れがある。
そこで、図２の（ｄ）部に示すように、吸収冷温水機停止動作時、排ガスダンパ８０、８２の動作不良あるいはシール性不良等により排ガス熱交換器５７への排ガスの漏れ込みが不可避な場合、これを排ガスダンパのリミットスイッチにより感知し、蒸発器の冷媒タンク８８と吸収器５０とを接続するブロー配管９２に設けた自動弁（例えば、電磁弁）９０を開けることで蒸発器５５の冷媒をすべて溶液に混ぜ強制的に溶液濃度を低下させる。  
【００３１】
なお、排ガスダンパのリミットスイッチを用いる代わりに、排ガス温度センサー８３を用いて、排ガスの漏れ込みを感知するように構成することもできる。また、排ガスダンパのリミットスイッチと排ガス温度センサー８３の両方を用いる場合もある。
【００３２】
（３）設計温度を超える排ガス漏れ込み
分散型発電システムの運転状態によって、排ガス熱交換器５７の設計温度（例えば４００℃）より排ガスが高温となることがある。排ガスダンパ８０、８２の動作不良あるいはシール性不良等によりこのような高温排ガスの排ガス熱交換器５７への漏れ込みがある場合、吸収冷温水機が運転中であれば排ガス熱交換器５７は溶液により液冷されているため問題とならないが、停止中の場合は、前述の通り、排ガス熱交換器５７内に溶液が存在しないため、使用材料の耐熱温度を上回り損傷する恐れがある。
そこで、排ガス温度センサー８３により感知し、設計温度以上の排ガスが流入した場合には溶液ポンプ６４及び吸収液ポンプ６２を起動させ排ガス熱交換器５７を液冷する。また、排ガスからの入熱により溶液濃度が上昇し、機内圧力が上昇することを防ぐため冷温水ポンプ７０、冷却水ポンプ６８を起動させ、冷却水に放熱させる。
【００３３】
（４）商用電源が停電時に分散型発電装置が運転可能である場合の排ガスダンパの制御
商用電源が停電時に、分散型発電装置のみ稼働し続ける場合、吸収冷温水機は排ガスダンパ８０、８２が停電発生時の状態のまま動作不可となり排ガスの流入は不可避となる。この場合、排ガス温度を検知する手段がないため、設計温度以上の排ガスが漏れ込んだ場合、排ガス熱交換器５７は損傷する恐れがある。これを回避するために、分散型発電装置から排ガスダンパ８０、８２に電源を供給し排ガスダンパ８０、８２を閉じる。
【産業上の利用可能性】
【００３４】
分散型発電システムの排ガスを利用する吸収冷温水機の排ガス熱交換器における、排ガス漏れ込み時の溶液の結晶化による故障を防止することができる。
【符号の説明】
【００３５】
１０  吸収器
１２  低温熱交換器
１４  低温再生器
１６  高温熱交換器
１８  高温再生器
２０  燃焼部
２２  凝縮器
２４  蒸発器
２６、２８  吸収液配管
３０  バイパス管
３２  吸収液ポンプ
３４  吸収液ポンプ（溶液ポンプ）
３６  冷媒ポンプ
３８  冷却水ポンプ
４０  冷温水ポンプ
４２  冷暖切換弁
５０  吸収器
５１  凝縮器
５２  低温熱交換器
５３  排温水熱交換器
５４  低温再生器
５５  蒸発器
５６  高温熱交換器
５７  排ガス熱交換器
５８  高温再生器
５９  冷媒蒸気配管
６２  吸収液ポンプ
６４  溶液ポンプ
６６  冷媒ポンプ
６８  冷却水ポンプ
７０  冷温水ポンプ
７２、７４、７５  冷暖切換弁
７６  暖房用排温水熱回収器
７８  排温水三方弁
８０  排ガス三方ダンパ
８２  排ガス二方ダンパ
８３  排ガス温度センサー
８６  冷媒溜め
８８  冷媒タンク
９０  冷媒ブロー自動弁
９２  冷媒ブロー配管
９４  低温再生器オーバーフロー管
９６  溶液戻し配管
【図１】
0005457163.tif 000002
【図２】
0005457163.tif 000003
【図３】
0005457163.tif 000004